(57)【特許請求の範囲】
【請求項１】
建築構造物(１)用のケーブル(６)と該建築構造物の要素(７)とを接続する接続装置であって、前記ケーブル(６)は少なくとも１つのワイヤ(９)を有している接続装置において、
前記接続装置(１０；５０)は、
-前記構造物の要素(７)に接続されたクランピング装置(１１)と、
-前記クランピング装置(１１)の締め付け荷重を前記ケーブル(６)に伝え、かつ前記ケーブル(６)の前記少なくとも１つのワイヤ(９)を収容する荷重伝達装置(１２;５２)とを有すること、および、
前記少なくとも１つのワイヤ(９)は前記荷重伝達装置(１２;５２)内に接着されていることを特徴とする接続装置。
【請求項２】
前記クランピング装置(１１)は、前記荷重伝達装置(１２;５２)とかみ合い部組立て体(２５)を圧縮する手段(２６)とに支えられている、該かみ合い部組立て体(２５)における少なくとも２つのキー(２７)を有している、請求の範囲第１項記載の接続装置。
【請求項３】
前記圧縮する手段(２６)は、内側壁(３２)がスリーブの一端(３３)に向かうスリーブを有しており、前記かみ合い部組立て体(２５)の前記キー(２７)は、前記側壁(３２)の形状と相補的な形状であり、また、前記キー(２７)が前記スリーブ内でくさび効果によって締め付けられ得るように、前記スリーブ(２６)内に取り付けられている、請求項２記載の接続装置。
【請求項４】
前記キー(２７)は概ね三角形の縦方向断面を有する、請求項３記載の接続装置。
【請求項５】
前記伝達装置(１２)は少なくとも２つの板(１５)を有しており、該板(１５)のそれぞれは、前記ワイヤ(９)の断面形状の少なくとも一部と相補的な形状を有する少なくとも１つの溝(２０)を備え、前記板(１５)は、前記板(１５)の前記溝(２０)が、前記少なくとも１つのワイヤ(９)が収容される少なくとも１つの通路(２１)を構成するように、互いに相対して取り付けられている、請求項４記載の接続装置。
【請求項６】
複数のワイヤ(９)は、互いに重ねられた複数の板(１５)によって構成された複数の通路(２１)内に収容され、少なくとも１つの撚線を構成している、請求項５記載の接続装置。
【請求項７】
前記キー(２７)は前記撚線の一部の外側表面を全体的に覆う、請求項６記載の接続装置。
【請求項８】
前記伝達装置(５２)は、前記少なくとも１つのワイヤ(９)が収容された少なくとも１つの円筒状のスリーブ(５５)を有する、請求項４記載の接続装置。
【請求項９】
前記少なくとも１つのワイヤ(９)は、前記少なくとも１つのスリーブ(５５)内に押し込まれている、請求項８記載の接続装置。
【請求項１０】
複数のスリーブ(５５)が前記キー(２７)内で互いに隣接して取り付けられている、請求項９記載の接続装置。
【請求項１１】
前記ワイヤ(９)はカーボンファイバー性の複合材料で作られている、請求項４〜１０のいずれか１項に記載の接続装置。
【請求項１２】
前記ワイヤ(９)はソリッドワイヤである、請求項４〜１１のいずれか１項に記載の接続装置。
【発明の詳細な説明】
【０００１】
本発明は、少なくとも１つのワイヤを有する建築構造物用ケーブルとこの構造物用の要素とを接続する装置に関する。
【０００２】
本発明は特に、テンションレグ（tennsion-leg）型の沖合プラットフォームのような、または、吊り下げ式もしくはケーブル支持式の橋のような建築構造物内で特に引張り力による応力が加わる、いくつかのワイヤで結合された所定数の撚線で構成されたケーブルに関する。
【０００３】
接続装置は、例えば海底台座（sea bed）にケーブルを係留するのに必要である。これらの装置は必ずしもアクセスが容易ではなく、したがってこれらの装置の取り付けはコストがかかる。
【０００４】
本発明の目的は、特に張力の荷重に耐えるために、また、簡単、かつ効率的で安価な手段を用いてこれを行うために、ワイヤがしっかりと係留される接続装置を提供することにある。
【０００５】
この目的のために、本発明によれば、この種の接続装置は、
-構造物の要素に接続されたクランピング装置と、
-クランピング装置の締め付け荷重をケーブルに伝え、かつケーブルの少なくとも１つのワイヤを収容する荷重伝達装置と
を有すること、
および、
この少なくとも１つのワイヤは荷重伝達装置内に接着されていることを本質的な特徴とする。
【０００６】
したがって、これらの方策によって、ケーブルの各ワイヤは、このワイヤが張られるときに、しっかりかつ簡単に保持される。
【０００７】
本発明による補強の好適な実施態様では、次のような方策の１つまたは複数を手段として用いる。
【０００８】
-クランピング装置は、荷重伝達装置とかみ合い部組立て体を圧縮する手段とによって支持される、かみ合い部組立て体における少なくとも２つのキーを有しており、
- 圧縮する手段は、内側壁がこのスリーブの一端に向うスリーブを有しており、かみ合い部組立て体のキーは、側壁の形状と相補的な形状であり、また、キーがスリーブ内でくさび効果によって締め付けられ得るように、スリーブ内に取り付けられており、
-キーは概ね三角形の縦方向断面を有しており、
-伝達装置は、少なくとも２つの板を有しており、この板のそれぞれは、ワイヤの断面形状の少なくとも一部と相補的な形状を有する少なくとも１つの溝を備え、板は、板の溝が、少なくとも１つのワイヤが収容される少なくとも１つの通路を構成するように、互いに相対して取り付けられており、
- 複数のワイヤは、互いに重ねられた複数の板によって構成された複数の通路内に収容され、少なくとも１つの撚線を構成しており、
-キーは撚線の一部の外側表面を全体的に覆っており、
-伝達装置は、少なくとも１つのワイヤが収容された少なくとも１つの円筒状のスリーブを有しており、
-少なくとも１つのワイヤは、少なくとも１つのスリーブ内に押し込まれており、
-複数のスリーブはキー内で互いに隣接して取り付けられており、
-ワイヤはカーボンファイバー性の複合材料で作られており、そして、
-ワイヤはソリッドワイヤである。
【０００９】
本発明の他の特徴と利点を、添付の図面を参照し、これに限定されるものではない例によって示された本発明の２つの実施形態に沿う以下の詳細な説明によって明らかにする。
【００１０】
図１に示され、本発明による複数の接続装置が組み込まれた建築構造物１は、例えば沖合プラットフォームの形態を採用している。このプラットフォームは従来通り、通常、海面上に位置決めされケーブル６の列４,５によって海底台座３に係留される上部分２を有している。
【００１１】
各ケーブルは、以下に説明する接続装置１０によって、例えば上部分２のけたのような、プラットフォーム１の構成部材７と、海底台座３上に位置する係留ブロックとの間に張られている。各ケーブルは、非常に大きな引張荷重がかかっており、同時に非常に優れた疲れ強さを有し、また非常に優れた耐腐食性を示す。
【００１２】
各ケーブル６は、ある程度はそれ自体が公知である、基本となる一連のワイヤ９のから構成されているいくつかの撚線の束から構成されている。各ケーブルについては、１つの撚線に、または、基本となる１つのワイヤに減らしてもよいということがわかる。
【００１３】
図２、４でより詳細にわかるように、各撚線は例えば端部が互いに平行なワイヤ９の集合体から構成される。このように構成されたこれらの撚線は、他の撚線と結合してケーブル６を構成してもよい。
【００１４】
各ワイヤ９は、金属材料で、または、樹脂マトリクスに埋め込まれた単方向性繊維からなる複合材で作られている。この単方向性繊維はカーボンで作られていることが好ましく、また、例えば引出成形方法によって得られる、架橋エポキシ樹脂マトリクスに埋め込まれた高力繊維または高弾性率繊維であってもよい。
【００１５】
ワイヤ９は、円形の台上で円筒状の形状を有し、中央のワイヤであると有利である。これらは、等しく正方形または六方形断面のような他の断面形状でもよい。
【００１６】
本発明による接続装置１０は、構造部材７と荷重伝達装置１２とに接続されたクランピング装置１１を有している。この伝達装置は、クランピング装置１１によって均一に及ぼされるクランピング力を受け、これらの力を、このようにしっかりと挟み込まれた撚線のワイヤ９に伝える。
【００１７】
伝達装置１２は、第１の実施形態では、ワイヤ９が間に収容された一定数の板１５から構成されている。
【００１８】
各板１５は概ね矩形状の形状となっており、上側１６と、概ね平坦な下側１７と、一旦互いに重ね合わされると、板１５の集合体が円形の台上で円筒体を構成するような、板の厚さ方向にみて湾曲した形状となっている長手方向縁１８とを有している。このように、各板１５は、その長手方向長さにくらべて薄い、円筒体の一種の長手方向切断片を構成している。
【００１９】
板１５の各上側１６と各下側１７は溝２０を有している。溝２０の断面は、ワイヤ９の断面の半分に等しい。
【００２０】
１つの板１５の上側１６の溝２０は、隣の板１５の下面１７の溝２０に面している。したがって、これらの溝２０は、対で通路２１を規定しており、その断面はワイヤ９の断面と相補的である。
【００２１】
板１５は、金属性材料から、または、複合材料または有機材料材料から作られている。
【００２２】
クランピング装置１１はかみ合い部組立て体２５から、また、この例ではかみ合い部組立て体２５を圧縮するためのスリーブを構成する手段２６から構成されている。
【００２３】
かみ合い部組立て体２５は複数のキー２７を有している。キー２７の集合体は、近位端２８と遠位端２９とを有する環状のベース上で円筒体を構成している。この円筒体の内径は板１５を円筒状に重ねたものの直径に等しい。近位端２８における肉厚は、遠位端２９における肉厚よりも厚い。この近位端はワイヤ９の端が突出する端であり、遠位端はワイヤが建築構造物の残りの部分に向かって延びる端である。
【００２４】
したがって、各キー２７は、板１５に当る内側面３０と、この内側面３０に向かって集中する外側面３１とを有している。
【００２５】
スリーブ２６は環状のベース上の円筒体であり、その内側壁３２は、キー２７によって構成される円筒体の外側壁の形状と相補的な形状を有している。したがって、スリーブ２６は第１の端、すなわち遠位端３３を有しており、その開口はこのスリーブの第２の端、すなわち近位端３４の開口よりも小さい直径を有している。
【００２６】
この結果、スリーブの内側壁３２は、円錐台形状を有しており、また、キー２７の集合体によって構成されたこの円筒体の、それ自体が円錐台状である外側形状と相補的である。遠位端３３における開口の直径は、板１５を重ねたものによって構成された円筒体の直径よりもわずかに大きい。
【００２７】
前に説明した接続装置１０を得るために、接着剤が板１５の各溝２０に塗られ、そしてワイヤ９はこれらの溝内に収められ板１５は互いに重ねられる。このようにして得られた重ね合わせ体は、この後、キー２７内に差し込まれる。そしてこの組立て体は、開口が大きな直径を有している近位端３４を通してスリーブ２６内に滑り込ませられる。キー２７は、所定の締め付け力が板１５に加えワイヤ９に伝えられるように、その外側面とスリーブ２６の内側面との間でのくさび効果によって圧縮される。この後に、接着剤を乾燥させるだけでよい。
【００２８】
ワイヤ９に働く所定の締め付け力は、キーおよびスリーブの傾斜した各面の勾配と、キー２７をスリーブ２６内に差し込む力に依存する。
【００２９】
このようにして撚線の各ワイヤ９は例えば引張力に耐えるようにしっかりと係留される。
【００３０】
前に説明した実施形態では、荷重伝達装置の板１５は、キー２によって構成された円筒体の内側体積全体を占めている。
【００３１】
図５および６に示された第２の実施形態では、接続装置５０は、前に説明した実施形態とは荷重伝達装置５２の形状についてのみ異なっており、他の構成部材は同じであり同一の参照番号を付している。
【００３２】
ここでは、伝達装置５２は、かみ合い部組立て体２５のキー２７によって構成された円筒体の内側体積全体を占めていない。この伝達装置は、例えばアルミニウムで作られた複数の金属スリーブ５５から構成されている。スリーブ５５は、ワイヤがこれらのスリーブ内に押し込まれるように、ワイヤ９の直径と概ね等しい内径を有している。スリーブの外径は、キー２７によって規定された円筒体の内径よりも小さい。
【００３３】
ワイヤ９はさらにスリーブ５５内に接着される。これらのスリーブは、一定の可塑性を伴った低弾性限界を有する材料で作られる。
【００３４】
接続装置５０を取り付ける方法は、第１の実施形態の接続装置を取り付ける方法と概ね同じである。スリーブ５５は、キーの内側で互いに接平面で接しており、各スリーブ５５は隣接したスリーブに、または、３つの母面上のキーに接触している。実際、締め付けの際には、スリーブは、各スリーブが３つの表面に接するように、わずかに押しつぶされる。これらのうちのいくつかだけが、すなわち周辺のスリーブがキーに接触する。
【００３５】
他の構成として、スリーブ間の隙間を埋めるようにスリーブを互いに接着してもよい。
【００３６】
さらに他の構成では、スリーブ５５は、これらのスリーブを並置しやすいように、断面について円形状ではないがダイヤモンド形状またはその他の形状と同等の外側形状を有している。
【図面の簡単な説明】
【図１】  本発明による接続装置によって係留されたケーブルを有する沖合いプラットフォームの全体概略図である。
【図２】  本発明による、図１の接続装置の１つについて第１の実施形態を示す斜視図である。
【図３】  図２の装置における板だけを示す分解図である。
【図４】  図２の装置の縦方向断面図である。
【図５】  本発明による、図１の接続装置の第２の実施形態を示す斜視図である。
【図６】  図５の装置の縦方向断面図である。
【図１】
0003958967.tif 000002
【図２】
0003958967.tif 000003
【図３】
0003958967.tif 000004
【図４】
0003958967.tif 000005
【図５】
0003958967.tif 000006
【図６】
0003958967.tif 000007